(57)【要約】【課題】酸化安定性とともに燃焼性と発熱量についても優れた灯油組成物を提供する。【解決手段】密度が０．７９００〜０．８１００ｇ／ｃｍ３、及び煙点が２１．０ｍｍ以上で、硫黄分が１０ｍａｓｓ ｐｐｍ以下、及びインダン類が４．０ｍａｓｓ％以下で、ベンゾチオフェン類を含む油組成物である。【選択図】なし【特許請求の範囲】
【請求項１】
密度が０．７９００〜０．８１００ｇ／ｃｍ３、及び煙点が２１．０ｍｍ以上で、
硫黄分が１０ｍａｓｓ ｐｐｍ以下、及びインダン類が４．０ｍａｓｓ％以下で、ベンゾチオフェン類を含むことを特徴とする灯油組成物。
【請求項２】
ベンゾチオフェン類が１．０ｍａｓｓ ｐｐｍ以上である請求項１に記載の灯油組成物。
【請求項３】
インダン類が１．０ｍａｓｓ％以上である請求項１又は２に記載の灯油組成物。
【発明の詳細な説明】
【技術分野】
【０００１】
本発明は、家庭用暖房機器の燃料などに使用される灯油組成物に関するものである。
【背景技術】
【０００２】
家庭用暖房機器は冬季に使用するものである。冬季需要期が始まる前に製造された燃料が、冬季需要期が終了するまで使用されずに保存されている間も品質が維持されていることが必要である。そして、保存期間における品質維持には酸化安定性が重要な指標となる。
【０００３】
酸化安定性は、例えば、特許文献１（特開２００６−２３３０８７）、特許文献２（特開２００７−７７３５５）に、灯油組成物の組成を所定の範囲にすることで、酸化安定性を向上させる技術が開示されている。
【０００４】
一方、家庭用暖房機器は一般住居で使用されることが想定されていることから、その燃料として使用される灯油組成物には、特別な知識を要することなく安全かつ快適に利用することを可能とする性能が求められている。すなわち、燃焼性に優れ煙が出にくいものであることが求められている。
【０００５】
また、燃料補給の手間や燃料補給操作により事故が発生する危険性を低減するとともに、コストの観点から、燃費の良いものであること、換言すれば発熱量の高いものであることが求められている。
【先行技術文献】
【特許文献】
【０００６】
【特許文献１】特開２００６−２３３０８７
【特許文献２】特開２００７−７７３５５
【発明の開示】
【発明が解決しようとする課題】
【０００７】
しかしながら、酸化安定性を向上させるための従来の技術では、酸化安定性とともに燃焼性と発熱量についても市場で要求される性能を満たす灯油組成物を製造することは難しい。
【０００８】
そこで、本発明は、酸化安定性とともに燃焼性と発熱量についても優れた灯油組成物を提供することを目的とする。
【課題を解決するための手段】
【０００９】
以上の目的を達成するために、本発明者らは、鋭意研究を重ねた結果、特にインダン類及びベンゾチオフェン類が酸化安定性に影響を与えることを見出した。すなわち、本発明は、密度が０．７９００〜０．８１００ｇ／ｃｍ３、及び煙点が２１．０ｍｍ以上で、硫黄分が１０ｍａｓｓ ｐｐｍ以下、及びインダン類が４．０ｍａｓｓ％以下で、ベンゾチオフェン類を含む灯油組成物である。
【発明の効果】
【００１０】
本発明によれば、酸化安定性とともに燃焼性と発熱量についても優れた灯油組成物を提供することができる。
【図面の簡単な説明】
【００１１】
【図１】図１は、灯油組成物Ａ，灯油組成物Ｂ，灯油組成物Ｃのインダン類の含有量と酸化安定性との関係を示したグラフである。
【図２】図２は、灯油組成物Ａ，灯油組成物Ｂ，灯油組成物Ｃのテトラリン類の含有量と酸化安定性との関係を示したグラフである。
【図３】図３は、実施例２〜５の灯油組成物と比較例１〜２の灯油組成物とについて、ベンゾチオフェン類の含有量と酸化安定性との関係を示したグラフである。
【図４】図４は、灯油組成物Ｄのベンゾチオフェン類及びジベンゾチオフェン類の含有量と酸化安定性との関係を示したグラフである。
【発明を実施するための形態】
【００１２】
本発明に係る灯油組成物は、芳香族分を含んでいてもよい。芳香族分としては、例えば、インダン類やテトラリン類などの、ベンゼンにアルキル基やナフテン環を有する１環芳香族分、ナフタレンにアルキル基やナフテン環を有する２環芳香族分、及びフェナントレンやアントラセンにアルキル基やナフテン環を有する３環芳香族分が挙げられる。
【００１３】
本発明に係る灯油組成物は、インダン類が４．０ｍａｓｓ％以下である。インダン類とは、インダン及びインダンに１以上のアルキル基を有するもので、例えば、インダン、メチルインダン、ジメチルインダン、及びトリメチルインダンが挙げられる。本発明に係る灯油組成物は、インダン類が４．０ｍａｓｓ％以下であり、酸化安定性を考慮した場合は３．５ｍａｓｓ％以下であるのが好ましい。ナフテノベンゼン類の中でも、インダン類が特に酸化安定性に影響を与え、インダン類が多いと、酸化安定性が悪くなる（図１参照）。後述のように、インダン類は分解灯油留分に多く含まれるため、分解灯油留分の有効活用の面から、灯油組成物中のインダン類は、良好な酸化安定性を維持できる範囲でできるだけ多いのが好ましい。そのような観点から、インダン類は１．０ｍａｓｓ％以上が好ましく、１．５ｍａｓｓ％以上がより好ましく、２．０ｍａｓｓ％以上が更に好ましく、２．５ｍａｓｓ％以上が特に好ましく、３．０ｍａｓｓ％以上が最も好ましい。
【００１４】
本発明に係る灯油組成物は、テトラリン類を含んでいてもよい。テトラリン類とは、テトラリン及びテトラリンに１以上のアルキル基を有するもので、例えば、テトラリン、及びメチルテトラリンが挙げられる。テトラリン類は、インダン類とは異なり、灯油組成物の酸化安定性に大きな影響を与えないため（図２参照）、含有量は多くてもよいが、燃焼性の観点からは、好ましくは７．０ｍａｓｓ％以下、より好ましくは６．０ｍａｓｓ％以下、更に好ましくは５．０ｍａｓｓ％以下である。また、製造コストの観点からは、０．１ｍａｓｓ％以上含まれていてもよい。
【００１５】
本発明に係る灯油組成物は、ベンゾチオフェン類を含む。ベンゾチオフェン類とは、ベンゾチオフェン及びベンゾチオフェンに１以上のアルキル基を有するものである。ベンゾチオフェン類は、インダン類が４．０ｍａｓｓ％以下のときに灯油組成物中に含まれると、酸化安定性を良くする傾向がある。一方、インダン類が４．０ｍａｓｓ％を超える範囲では、酸化安定性に殆ど影響を与えない傾向がある（図３〜４参照）。すなわち、インダン類が４．０ｍａｓｓ％以下の場合には、インダン類の増加による酸化安定性の低下をベンゾチオフェン類の増加による酸化安定性の向上で補うことができる。これにより、インダン類の含有量を多くすることができ、しかも酸化安定性も高くすることができる。灯油組成物中、ベンゾチオフェン類は好ましくは１．０ｍａｓｓ ｐｐｍ以上、より好ましくは２．０ｍａｓｓ ｐｐｍ以上であり、３．０ｍａｓｓ ｐｐｍ以上、好ましくは３．５ｍａｓｓ ｐｐｍ以上、より好ましくは４．０ｍａｓｓ ｐｐｍ以上であると酸化安定性の改善効果が特に高いので望ましい。
【００１６】
本発明に係る灯油組成物は、ジベンゾチオフェン類を含んでいてもよい。ジベンゾチオフェン類とは、ジベンゾチオフェン及びジベンゾチオフェンに1以上のアルキル基を有するものである。ジベンゾチオフェン類は、ベンゾチオフェン類とは異なり、灯油組成物の酸化安定性に大きな影響を与えない（図４参照）。
【００１７】
本発明に係る灯油組成物は、硫黄分が１０ｍａｓｓ ｐｐｍ以下であり、好ましくは８ｍａｓｓ ｐｐｍ以下である。硫黄分含有量は、少ないほど、人間にとって不快な臭気が少なくなる。また、硫黄分が多いと、燃焼時の硫黄酸化物量が増加する。
【００１８】
本発明に係る灯油組成物は、密度が０．７９００〜０．８１００ｇ／ｃｍ３であり、好ましくは０．７９２０〜０．８０４０ｇ／ｃｍ３、より好ましくは０．７９３０〜０．８０３０ｇ／ｃｍ３、更に好ましくは０．７９３０〜０．８０００ｇ／ｃｍ３である。密度が高くなると燃焼性が悪化することがある。ただし、密度が低いと暖房性に支障が出る可能性がある。
【００１９】
本発明に係る灯油組成物は、蒸留性状初留点が１４０．０℃〜１７０．０℃であることが好ましい。１０％留出温度は、１６０．０℃〜１８０．０℃であることが好ましい。９５％留出温度は２３０．０℃〜２７０．０℃であることが好ましい。各留出温度が上記範囲よりも低い場合、芯式・放射形石油ストーブ最大燃焼使用時において、火足が伸び過ぎ、消火時間が長くなり安全な燃焼状態が保てず、また、燃料消費量も増加し経済性も良くないため好ましくない。上記範囲よりも高い場合は、着火性が悪くなるなどの問題が生じる可能性があり好ましくない。安全な燃焼状態のために、更に好ましくは初留点が１４５．０℃〜１６０．０℃、１０％留出温度が１６５．０℃〜１７５．０℃、９５％留出温度が２４０．０℃〜２６０．０℃である。なお、上記蒸留性状以外に、例えば、５０％留出温度が１８０．０℃〜２２０．０℃、９０％留出温度が２３０．０℃〜２４５．０℃とすることができる。
【００２０】
本発明に係る灯油組成物は、燃焼性などの観点から、煙点が２１．０ｍｍ以上、好ましくは２１．０ｍｍ〜２６．０ｍｍである。
【００２１】
本発明に係る灯油組成物は、ＰｅｔｒｏＯＸＹ誘導期間が好ましくは７０．０ｍｉｎ以上、より好ましくは７２．０ｍｉｎ以上、更に好ましくは８０．０ｍｉｎ以上、特に好ましくは９０．０ｍｉｎ以上である。
【００２２】
本発明に係る灯油組成物は、総発熱量が好ましくは３６８００〜３７１７０Ｊ／ｃｍ３である。
【００２３】
本発明に係る灯油組成物は、例えば、原油を精製する工程で得られる各種石油留分を分解・合成・配合することで得ることができる。インダン類やベンゾチオフェン類の含有量は、原油を蒸留して得られる灯油留分や分解灯油の蒸留性状、これら原料油を脱硫する時の脱硫条件、灯油留分や分解軽油の混合量などを適宜、調節することにより適切な範囲とすることができる。また、ＧＴＬ灯油を脱硫装置の原料または脱硫後の灯油に適宜混合することにより得ることもできる。
【００２４】
本発明に係る灯油組成物は、原油を蒸留して得られる灯油留分と流動接触分解装置から留出する分解灯油留分を混合し、脱硫処理して得ることが好ましい。この際、分解灯油留分は、好ましくは０〜２０容量％、より好ましくは２〜２０容量％、更に好ましくは５〜２０容量％である。分解灯油留分は、後述のように灯油生産に振り替えることができるので多い方が好ましいが、多すぎると酸化安定性など灯油としての優れた性状を得ることが難しくなる。分解灯油留分には、インダン類やテトラリン類などのナフテノベンゼン類が多く含まれる。そのため、上述のようなインダン類の含有量とすることにより、分解灯油留分を有効に利用することができる。２０１４年７月末に改正された「エネルギー供給構造高度化法」の新たな判断基準により、製油所では直留系基材に対する分解系基材の比率が更に増加することが見込まれている。特に、分解ガソリンの重質分（分解灯油留分）の一部から灯油を製造するルートは、ガソリン需要の減少が想定されるなか、灯油生産に振り替えることが出来るので大変重要である。
【実施例】
【００２５】
実験例における灯油組成物中の性状等は、下記のように測定した。
【００２６】
インダン類、テトラリン類：
試料をＡｇｉｌｅｎｔ  ６８９０にて、下記の条件で測定し、インダン類及びテトラリン類の含有量を求めた。
カラム：Ａｇｉｌｅｎｔ  １９０９１Ｓ−００４  ＨＰ−ＤＨＡ１  １０２ｍ×０．５０ｕｍ×２５０ｕｍ
オーブン温度：５℃（１０ｍｉｎ  ＨＯＬＤ）→５℃／ｍｉｎ→５０℃（１５ｍｉｎ）→６℃／ｍｉｎ→２２０℃（７ｍｉｎ）
注入温度：２５０℃  スプリット：１５０：１
検出器：２５０℃（ＦＩＤ）
キャリアーガス：Ｈｅ、２．４ｍｌ／ｍｉｎ
【００２７】
ベンゾチオフェン類、ジベンゾチオフェン類：
試料を下記の方法にて、ＳＣＤ検出器付きガスクロマトグラフを用いてベンゾチオフェン類の含有量を求めた。
カラム：ＤＢ―ＳＵＬＦＵＲ.ＳＣＤ
キャリアーガス：Ｈｅ
流量：  ２．３ｍｌ/ｍｉｎ
昇温条件：３５℃(３ｍｉｎ ＨＯＬＤ)→５℃／ｍｉｎ→１５０℃→１０℃／ｍｉｎ→２７０℃（７ｍｉｎ  ＨＯＬＤ）
検出器温度：２００℃
注入温度：２７０℃
サンプル中のベンゾチオフェン類由来の硫黄化合物の定量は、試薬のベンゾチオフェン由来の硫黄化合物が１ｍａｓｓ ｐｐｍになるように調整した標準サンプルを作成し、そのサンプルと測定するサンプルのピーク面積の比から行った。
なお、ジベンゾチオフェン類も同様の方法によって含有量を求めた。
【００２８】
密度：
ＪＩＳ  Ｋ  ２２４９「原油及び石油製品−密度試験方法及び密度・質量・容量換算表」により測定した。
硫黄分：
ＪＩＳ  Ｋ  ２５４１−２「原油及び石油製品−硫黄分試験方法  第２部：微量電量滴定式酸化法」により測定した。
蒸留性状：
ＪＩＳ  Ｋ  ２２５４「石油製品−蒸留試験方法  ４．常圧法蒸留試験方法」に従って測定した。
【００２９】
煙点：
ＪＩＳ  Ｋ  ２５３７「石油製品−灯油及び航空タービン燃料油−煙点試験方法」により測定した。
ＰｅｔｒｏＯＸＹ誘導期間：
灯油組成物のＰｅｔｒｏＯＸＹ誘導期間は、ＰｅｔｒｏＯＸＹ試験「経済産業省告知第７２号（軽油中の酸化安定度の測定方法として経済産業大臣が定める方法）」により測定される誘導期間で表した。誘導期間とは、試料５ｍｌに所定量の酸素を封入し、１４０℃まで上昇させて、初期圧力が１０％低下するまでの時間である。
総発熱量：
ＪＩＳ  Ｋ  ２２７９「原油及び石油製品―発熱量試験法及び計算による推定方法」により測定した。
【００３０】
≪実験例１≫
下記のように実施例１〜７及び比較例１〜３に係る灯油組成物を調製した。得られた灯油組成物について、煙点、酸化安定性（ＰｅｔｒｏＯＸＹ誘導期間）、総発熱量を測定した。結果を表１及び２に示す。
【００３１】
（実施例２）
原油を蒸留して得られた灯油留分９３容量％に分解灯油７容量％混合し、ＣｏＭｏ系触媒を用いて、水素分圧４．０ＭＰａ、液空間速度４．１ｔ／ｍ３／ｈｒ、反応温度３３５℃で硫黄分１０ｍａｓｓ ｐｐｍ以下の実施例２に係る灯油組成物を得た。
【００３２】
（実施例１，実施例３〜７，比較例１〜３）
実施例２で得られた灯油組成物に、インダン類、テトラリン類、ベンゾチオフェン類、及び硫黄分の含有量を調整するため、試薬のインダン（純度＞９５％）、テトラリン（純度＞９７％）、ベンゾチオフェン、及びジベンゾチオフェンの少なくとも１種を添加し、実施例１，実施例３〜７，比較例１〜３に係る灯油組成物を得た。
【００３３】
【表１】
2018193527.tif 000002
【００３４】
【表２】
2018193527.tif 000003
【００３５】
インダン類の含有量が２．７ｍａｓｓ％の実施例２〜５について、及びインダン類の含有量が４．７ｍａｓｓ％の比較例１〜２について、ベンゾチオフェン類の含有量と酸化安定性との関係を図３に示す。
【００３６】
図３より、インダン類の含有量が少ない場合は、ベンゾチオフェン類の含有量が増えると共に酸化安定性が良くなり、インダン類の含有量が多い場合は、ベンゾチオフェン類の含有量が増えても、酸化安定性が良くならないことが分かる。
【００３７】
≪実験例２≫
灯油組成物Ａ、灯油組成物Ｂ、灯油組成物Ｃにそれぞれインダン純度＞９５％のインダン試薬を添加した。インダン類の含有量と酸化安定性との関係を図１に示す。灯油組成物Ａ，灯油組成物Ｂ，灯油組成物Ｃのインダン類の含有量は、添加した量と元々の含有量とを足した合計値とした。
【００３８】
灯油組成物Ａ、灯油組成物Ｂ、灯油組成物Ｃにそれぞれテトラリン純度＞９７％のテトラリン試薬を添加した。テトラリン類の含有量と酸化安定性との関係を図２に示す。灯油組成物Ａ，灯油組成物Ｂ，灯油組成物Ｃのテトラリン類の含有量は、添加した量と元々の含有量とを足した合計値とした。
【００３９】
実験例２より、インダン類は酸化安定性に大きな影響を与えるが、テトラリン類は酸化安定性にそれほど影響を与えないことが分かる。
【００４０】
≪実験例３≫
インダン類の含有量が２．２ｍａｓｓ％の灯油組成物Ｄに、ベンゾチオフェン又はジベンゾチオフェンを添加した。ベンゾチオフェン類（ＢＴ）及びジベンゾチオフェン類（ＤＢＴ）の含有量と酸化安定性との関係を図４に示す。灯油組成物Ｄのベンゾチオフェン類及びジベンゾチオフェン類の含有量は、添加した量と元々の含有量を足した合計値とした。
【００４１】
実験例３より、ベンゾチオフェン類は酸化安定性に大きな影響を与えるが、ジベンゾチオフェン類は酸化安定性にそれほど影響を与えないことが分かる。
【図１】
2018193527.tif 000004
【図２】
2018193527.tif 000005
【図３】
2018193527.tif 000006
【図４】
2018193527.tif 000007